(57)【要約】      （修正有）【課題】テレビ番組を視聴したユーザが所持する端末のセグメントを生成する情報処理装置、プログラム及びシステムを提供する。【解決手段】広告システムにおいて、情報処理装置は、ユーザが所持する端末を示す端末ＩＤと前記端末のＩＰアドレスとを対応付けた端末情報を取得し、テレビ受像機を示すＴＶＩＤとテレビ受像機のＩＰアドレスとテレビ受像機が映したテレビ番組を示す番組情報とを対応付けた視聴ログを取得し、テレビ番組を設定し、端末情報と視聴ログとに基づいて、設定されたテレビ番組を視聴したユーザが所持する端末のセグメントを生成する。【選択図】図７
2020195090.tif 000002
【特許請求の範囲】
【請求項１】
ユーザが所持する端末を示す端末ＩＤと前記端末のＩＰアドレスとを対応付けた端末情報を格納する記憶部と、
テレビ受像機を示すＴＶＩＤと前記テレビ受像機のＩＰアドレスと前記テレビ受像機が映したテレビ番組を示す番組情報とを対応付けた視聴ログを取得し、
テレビ番組を設定し、
前記端末情報と前記視聴ログとに基づいて、設定された前記テレビ番組を視聴したユーザが所持する端末のセグメントを生成する、
プロセッサと、
を備える情報処理装置。
【請求項２】
前記プロセッサは、
前記端末情報と前記視聴ログとに基づいて、同一のＩＰアドレスを有するテレビ受像機のＴＶＩＤと端末の端末ＩＤとを対応付けたテーブルを生成し、
前記テーブルに基づいて前記セグメントを生成する、
前記請求項１に記載の情報処理装置。
【請求項３】
前記プロセッサは、
前記視聴ログから、設定された前記テレビ番組を示す番組情報に対応するＴＶＩＤを取得し、
前記テーブルから、取得された前記ＴＶＩＤに対応する端末ＩＤを取得し、
取得された前記端末ＩＤを含む前記セグメントを生成する、
前記請求項２に記載の情報処理装置。
【請求項４】
前記テレビ番組は、広告を含む、
前記請求項１乃至３の何れか１項に記載の情報処理装置。
【請求項５】
前記プロセッサは、前記セグメントの端末のアクセスログに基づいて、前記広告の効果を測定する、
前記請求項４に記載の情報処理装置。
【請求項６】
操作を入力する操作部を備え、
前記プロセッサは、前記操作部を通じて、前記テレビ番組を設定する操作を受け付ける、
前記請求項１乃至５の何れか１項に記載の情報処理装置。
【請求項７】
外部装置とデータを送受信する通信部を備え、
前記プロセッサは、前記通信部を通じて前記外部装置へ前記セグメントを送信する、
前記請求項１乃至６の何れか１項に記載の情報処理装置。
【請求項８】
プロセッサによって実行されるプログラムであって、
前記プロセッサに、
ユーザが所持する端末を示す端末ＩＤと前記端末のＩＰアドレスとを対応付けた端末情報を取得させ、
テレビ受像機を示すＴＶＩＤと前記テレビ受像機のＩＰアドレスと前記テレビ受像機が映したテレビ番組を示す番組情報とを対応付けた視聴ログを取得させ、
テレビ番組を設定させ、
前記端末情報と前記視聴ログとに基づいて、設定された前記テレビ番組を視聴したユーザが所持する端末のセグメントを生成させる、
プログラム。
【請求項９】
前記プロセッサに、
前記端末情報と前記視聴ログとに基づいて、同一のＩＰアドレスを有するテレビ受像機のＴＶＩＤと端末の端末ＩＤとを対応付けたテーブルを生成させ、
前記テーブルに基づいて前記セグメントを生成させる、
前記請求項８に記載のプログラム。
【請求項１０】
前記プロセッサに、
前記視聴ログから、設定された前記テレビ番組を示す番組情報に対応するＴＶＩＤを取得させ、
前記テーブルから、取得された前記ＴＶＩＤに対応する端末ＩＤを取得させ、
取得された前記端末ＩＤを含む前記セグメントを生成させる、
前記請求項９に記載のプログラム。
【請求項１１】
前記テレビ番組は、広告を含む、
前記請求項８乃至１０の何れか１項に記載のプログラム。
【請求項１２】
前記プロセッサに、
前記セグメントの端末のアクセスログに基づいて、前記広告の効果を測定させる、
前記請求項１１に記載のプログラム。
【請求項１３】
前記プロセッサに、
外部装置へ前記セグメントを送信させる、
前記請求項８乃至１２の何れか１項に記載のプログラム。
【請求項１４】
ＤＭＰと広告サーバとを備えるシステムであって、
前記ＤＭＰは、
ユーザが所持する端末を示す端末ＩＤと前記端末のＩＰアドレスとを対応付けた端末情報を格納する記憶部と、
テレビ受像機を示すＴＶＩＤと前記テレビ受像機のＩＰアドレスと前記テレビ受像機が映したテレビ番組を示す番組情報とを対応付けた視聴ログを取得し、
テレビ番組を設定し、
前記端末情報と前記視聴ログとに基づいて、設定された前記テレビ番組を視聴したユーザが所持する端末のセグメントを生成する、
第１のプロセッサと、
を備え、
前記広告サーバは、
端末とデータを送受信する通信部と、
前記通信部を通じて、前記テレビ番組に関連する広告を前記セグメントの端末に配信する第２のプロセッサと
を備える、
システム。
【発明の詳細な説明】
【技術分野】
【０００１】
本発明は、情報処理装置、プログラム及びシステムに関する。
【背景技術】
【０００２】
テレビ番組には、広告主からの広告が含まれることがある。広告主は、テレビ番組を視聴したユーザに対する広告の効果を測定したり、テレビ番組を視聴したユーザに対してテレビ番組に関連する広告を提供したりしたいという要望がある。
【０００３】
上記の目的のため、テレビ番組を視聴したユーザが所持する端末を特定する技術が要望されている。
【先行技術文献】
【特許文献】
【０００４】
【特許文献１】特許第６１９４０６３号公報
【発明の概要】
【発明が解決しようとする課題】
【０００５】
上記の課題を解決するため、テレビ番組を視聴したユーザが所持する端末のセグメントを生成する情報処理装置、プログラム及びシステムを提供する。
【課題を解決するための手段】
【０００６】
実施形態によれば、情報処理装置は、ユーザが所持する端末を示す端末ＩＤと前記端末のＩＰアドレスとを対応付けた端末情報を格納する記憶部と、テレビ受像機を示すＴＶＩＤと前記テレビ受像機のＩＰアドレスと前記テレビ受像機が映したテレビ番組を示す番組情報とを対応付けた視聴ログを取得し、テレビ番組を設定し、前記端末情報と前記視聴ログとに基づいて、設定された前記テレビ番組を視聴したユーザが所持する端末のセグメントを生成する、プロセッサと、を備える。
【発明の効果】
【０００７】
実施形態によれば、ＤＭＰは、テレビ受像機のＩＰアドレスを含む視聴ログと端末のＩＰアドレスを含む端末情報とに基づいて、同一のＩＰアドレスを有するテレビ受像機と端末とを対応付けた判定用テーブルを生成する。ＤＭＰは、所定のテレビ番組を映したテレビ受像機を特定する。ＤＭＰは、判定用テーブルに基づいて、特定したテレビ受像機に対応する端末のセグメントを生成する。ＤＭＰは、当該テレビ番組を視聴したユーザが所持する端末のセグメントとして、生成したセグメントを取得することができる。
【図面の簡単な説明】
【０００８】
【図１】図１は、実施形態に係る広告システムの構成例を示すブロック図である。
【図２】図２は、実施形態に係るＤＭＰの構成例を示すブロック図である。
【図３】図３は、実施形態に係る広告サーバの構成例を示すブロック図である。
【図４】図４は、実施形態に係る視聴ログの構成例を示す図である。
【図５】図５は、実施形態に係る端末情報の構成例を示す図である。
【図６】図６は、実施形態に係る判定用テーブルの構成例を示す図である。
【図７】図７は、実施形態に係るＤＭＰの動作例を示すフローチャートである。
【発明を実施するための形態】
【０００９】
以下、実施形態について、図面を参照して説明する。  
実施形態に係る広告システムは、所定のテレビ番組を視聴したユーザが所持する端末のセグメントを生成する。たとえば、生成システムは、所定のテレビ番組を視聴したユーザが所持する端末を特定する端末ＩＤのセグメントを生成する。ここでは、テレビ番組は、コンテンツと広告（ＣＭなど）とを含む。
【００１０】
また、広告システムは、生成したセグメントに含まれる端末に対してテレビ番組に関連する広告を配信する。
【００１１】
図１は、実施形態に係る広告システム１の構成例を示すブロック図である。図１が示すように、広告システム１は、ＤＭＰ１０、広告サーバ２０、アクセスポイント３０、テレビ受像機３１、端末３２、端末３３及びネットワーク４０などを備える。ＤＭＰ１０、広告サーバ２０及びアクセスポイント３０は、ネットワーク４０に接続する。テレビ受像機３１、端末３２及び端末３３は、アクセスポイント３０に接続する。なお、広告システム１は、図１に示すような構成の他に必要に応じた構成を具備したり、広告システム１から特定の構成が除外されたりしてもよい。
【００１２】
ＤＭＰ１０（Data Management Platform）（情報処理装置）は、種々のデータに基づいて、所定のテレビ番組を視聴したユーザが所持する端末のセグメントを生成する。ＤＭＰ１０については、後に詳述する。
【００１３】
広告サーバ２０は、ＤＭＰ１０が生成したセグメントに含まれる端末に対して広告を配信する。広告サーバ２０についは、後に詳述する。
【００１４】
アクセスポイント３０は、ローカルネットワークを形成する。アクセスポイント３０は、ローカルネットワーク内の端末（たとえば、テレビ受像機３１、端末３２又は端末３３）をネットワーク４０と接続させる。即ち、アクセスポイント３０は、テレビ受像機３１、端末３２又は端末３３とネットワーク４０とのデータの送受信を中継する。
【００１５】
アクセスポイント３０は、ＩＰアドレスを割り当てられる。アクセスポイント３０は、割り当てられたＩＰアドレスからのデータとして、アクセスポイント３０が形成するローカルネットワーク内の端末（たとえば、テレビ受像機３１、端末３２又は端末３３）からのデータをネットワーク４０へ送信する。即ち、ネットワーク４０において、アクセスポイント３０が形成するローカルネットワーク内の端末（たとえば、テレビ受像機３１、端末３２又は端末３３）からのアクセスは、アクセスポイント３０に割り当てられたＩＰアドレスからのアクセスとして扱われる。つまり、アクセスポイント３０が形成するローカルネットワーク内の端末（たとえば、テレビ受像機３１、端末３２又は端末３３）からのアクセスは、同一のＩＰアドレスからのアクセスとして扱われる。
【００１６】
アクセスポイント３０は、所定の領域内に存在する端末と接続する。たとえば、アクセスポイント３０は、建造物（たとえば、住宅）内に存在する端末と接続する。
【００１７】
テレビ受像機３１は、放送事業者が配信するテレビ番組を視聴するための装置である。テレビ受像機３１は、アンテナと接続し、アンテナを通じて放送事業者からの放送信号を受信する。テレビ受像機３１は、受信した放送信号にしたがって画像及び音声を提示する。
【００１８】
テレビ受像機３１は、アクセスポイント３０を通じて視聴履歴をネットワーク４０に送信する。たとえば、テレビ受像機３１は、テレビ受像機３１を製造したメーカなどの視聴履歴管理サーバに視聴履歴を送信する。なお、テレビ受像機３１は、ＤＭＰ１０に視聴履歴を送信するものであってもよい。
【００１９】
視聴履歴は、ＴＶＩＤ、タイムスタンプ及び番組情報などを含む。ＴＶＩＤは、テレビ受像機３１を特定する。ＴＶＩＤは、製造時などに予めテレビ受像機３１に格納される。タイムスタンプは、テレビ受像機３１がテレビ番組を映した日時を示す。たとえば、タイムスタンプは、テレビ受像機３１がオンになったタイミングを示すものであってもよい。番組情報は、テレビ受像機３１が映したテレビ番組を特定する情報である。たとえば、番組情報は、テレビ番組名などであってもよいし、チャンネルであってもよい。また、視聴履歴は、テレビ受像機３１がオフになったタイミングを示すタイムスタンプを含んでもよい。視聴履歴の構成は、特定の構成に限定されるものではない。
【００２０】
テレビ受像機３１は、所定のタイミングで視聴履歴を視聴履歴管理サーバに送信する。たとえば、テレビ受像機３１は、オン又はオフになったタイミング、又は、所定の間隔で視聴履歴を視聴履歴管理サーバに送信する。
【００２１】
端末３２は、テレビ番組を視聴するユーザが所持する端末である。端末３２は、アクセスポイント３０を通じてネットワーク４０にアクセスする。たとえば、端末３２は、ユーザの操作（入力）に基づいてブラウザ、ゲーム又はＳＮＳ（Social Network Service）クライアントなどのアプリケーションを実行する。また、端末３２は、アプリケーションなどの動作に従って広告サーバ２０が配信する広告を表示する。
【００２２】
また、端末３２は、製造時などにおいて予め端末ＩＤを格納する。端末３２は、ネットワーク４０にアクセスする際に、端末ＩＤを含むデータを送信する。
【００２３】
たとえば、端末３２は、スマートフォン、タブレットＰＣ、ノートＰＣ、デスクトップＰＣ、ウェアラブル端末又はＩｏＴ端末などである。端末３２の構成は、特定の構成に限定されるものではない。  
端末３３の構成は、端末３２のそれと同様であるため説明を省略する。
【００２４】
ネットワーク４０は、データを送受信するための通信網である。たとえば、ネットワーク４０は、インターネットである。また、ネットワーク４０は、独自の通信網であってもよい。
【００２５】
次に、ＤＭＰ１０の構成例について説明する。図２は、ＤＭＰ１０の構成例を示すブロック図である。図２が示すように、ＤＭＰ１０は、プロセッサ１１、ＲＯＭ１２、ＲＡＭ１３、ＮＶＭ１４、通信部１５、操作部１６及び表示部１７などを備える。これらの各部は、データバスなどを介して互いに接続される。なお、ＤＭＰ１０は、図２が示すような構成の他に必要に応じた構成を具備したり、ＤＭＰ１０から特定の構成が除外されたりしてもよい。
【００２６】
プロセッサ１１（第１のプロセッサ）は、ＤＭＰ１０全体の動作を制御する機能を有する。プロセッサ１１は、内部キャッシュ及び各種のインターフェースなどを備えてもよい。プロセッサ１１は、内部メモリ、ＲＯＭ１２又はＮＶＭ１４が予め記憶するプログラムを実行することにより種々の処理を実現する。
【００２７】
なお、プロセッサ１１がプログラムを実行することにより実現する各種の機能のうちの一部は、ハードウエア回路により実現されるものであってもよい。この場合、プロセッサ１１は、ハードウエア回路により実行される機能を制御する。
【００２８】
ＲＯＭ１２は、制御プログラム及び制御データなどが予め記憶された不揮発性のメモリである。ＲＯＭ１２に記憶される制御プログラム及び制御データは、ＤＭＰ１０の仕様に応じて予め組み込まれる。ＲＯＭ１２は、たとえば、ＤＭＰ１０の回路基板を制御するプログラムなどを格納する。
【００２９】
ＲＡＭ１３は、揮発性のメモリである。ＲＡＭ１３は、プロセッサ１１の処理中のデータなどを一時的に格納する。ＲＡＭ１３は、プロセッサ１１からの命令に基づき種々のアプリケーションプログラムを格納する。また、ＲＡＭ１３は、アプリケーションプログラムの実行に必要なデータ及びアプリケーションプログラムの実行結果などを格納してもよい。
【００３０】
ＮＶＭ１４（記憶部）は、データの書き込み及び書き換えが可能な不揮発性のメモリである。ＮＶＭ１４は、たとえば、ＨＤＤ（Hard Disk Drive）、ＳＳＤ（Solid State Drive）又はフラッシュメモリなどから構成される。ＮＶＭ１４は、ＤＭＰ１０の運用用途に応じて制御プログラム、アプリケーション及び種々のデータなどを格納する。
【００３１】
ＮＶＭ１４は、視聴ログを格納する記憶領域１４ａ及び端末情報を格納する記憶領域１４ｂなどを備える。視聴ログ及び端末情報については、後に詳述する。
【００３２】
通信部１５は、広告サーバ２０などの外部装置とデータを送受信するためのインターフェースである。通信部１５は、アクセスポイント３０とデータを送受信する。通信部１５は、たとえば、ＬＡＮ接続をサポートするインターフェースである。
【００３３】
操作部１６は、オペレータから種々の操作の入力を受け付ける。操作部１６は、受け付けた操作を示す信号をプロセッサ１１へ送信する。たとえば、操作部１６は、キーボード、テンキー及びタッチパネルから構成される。
【００３４】
表示部１７は、プロセッサ１１の制御により種々の情報を表示する。たとえば、表示部１７は、液晶モニタから構成される。なお、操作部１６がタッチパネルなどで構成される場合、表示部１７は、操作部１６と一体的に形成されてもよい。
【００３５】
次に、広告サーバ２０の構成例について説明する。図３は、広告サーバ２０の構成例を示すブロック図である。図３が示すように、広告サーバ２０は、プロセッサ２１、ＲＯＭ２２、ＲＡＭ２３、ＮＶＭ２４、通信部２５、操作部２６及び表示部２７などを備える。これらの各部は、データバスなどを介して互いに接続される。なお、広告サーバ２０は、図３が示すような構成の他に必要に応じた構成を具備したり、広告サーバ２０から特定の構成が除外されたりしてもよい。
【００３６】
プロセッサ２１（第２のプロセッサ）は、広告サーバ２０全体の動作を制御する機能を有する。
【００３７】
ＲＯＭ２２は、制御プログラム及び制御データなどが予め記憶された不揮発性のメモリである。
【００３８】
ＲＡＭ２３は、揮発性のメモリである。
【００３９】
ＮＶＭ２４は、データの書き込み及び書き換えが可能な不揮発性のメモリである。
【００４０】
通信部２５は、端末とデータを送受信するためのインターフェースである。通信部２５は、アクセスポイント３０とデータを送受信する。
【００４１】
操作部２６は、オペレータから種々の操作の入力を受け付ける。
【００４２】
表示部２７は、プロセッサ２１の制御により種々の情報を表示する。
【００４３】
次に、記憶領域１４ａに格納される視聴ログについて説明する。
【００４４】
視聴ログは、テレビ受像機ごとに、テレビ番組を映した日時及びＩＰアドレスを格納する。図４は、視聴ログの構成例を示す図である。
【００４５】
図４が示すように、視聴ログは、「ＴＶＩＤ」、「タイムスタンプ」、「ＩＰアドレス」及び「番組情報」を対応付けて格納する。
【００４６】
「ＴＶＩＤ」は、テレビ受像機を特定する識別情報である。
【００４７】
「タイムスタンプ」は、テレビ受像機がテレビ番組を映した日時である。
【００４８】
「ＩＰアドレス」は、テレビ受像機がネットワーク４０にアクセスする際に用いられたＩＰアドレスである。テレビ受像機３１の「ＩＰアドレス」は、アクセスポイント３０に割り振られたＩＰアドレスである。
【００４９】
「番組情報」は、テレビ受像機が映したテレビ番組を特定する情報である。
【００５０】
視聴ログは、各テレビ受像機から送信される視聴履歴に基づいて生成される。たとえば、視聴履歴管理サーバは、各テレビ受像機からの視聴履歴に基づいて視聴ログを生成する。プロセッサ１１は、通信部１５などを通じて視聴履歴管理サーバから視聴ログを取得し記憶領域１４ａに格納する。
【００５１】
また、プロセッサ１１は、視聴ログを生成してもよい。たとえば、プロセッサ１１は、通信部１５などを通じて視聴履歴管理サーバから視聴履歴を取得する。プロセッサ１１は、取得した視聴履歴に基づいて視聴ログを生成する。また、プロセッサ１１は、各テレビ受像機から視聴履歴を取得してもよい。
【００５２】
次に、記憶領域１４ｂに格納される端末情報について説明する。  
端末情報は、端末３２又は端末３３などがネットワーク４０にアクセスした際に割り振られたＩＰアドレスなどを示す。図５は、端末情報の構成例を示す図である。
【００５３】
図５が示すように、端末情報は、「端末ＩＤ」、「ＩＰアドレス」及び属性を対応付けて格納する。
【００５４】
「端末ＩＤ」は、ネットワーク４０にアクセスした端末を特定する識別情報である。
【００５５】
「ＩＰアドレス」は、端末がネットワーク４０にアクセスする際に割り振られたＩＰアドレスである。端末３２又は端末３３の「ＩＰアドレス」は、アクセスポイント３０に割り振られたＩＰアドレスである。
【００５６】
属性は、端末を所持するユーザが有する属性を示す。ここでは、属性は、「性別」、「年齢」及び「職業」である。なお、属性は、年収、住所、国籍、人種又は学歴などを含んでもよい。属性の構成は、特定の構成に限定されるものではない。
【００５７】
端末情報は、端末がネットワーク４０にアクセスしたログなどに基づいて生成される。たとえば、ＤＭＰ１０は、複数の端末の動作を監視してアクセスログを取得し、端末情報を生成する。ＤＭＰ１０は、端末の動作（たとえば、Ｗｅｂ閲覧履歴など）から属性を推定する。また、ＤＭＰ１０は、ユーザからオプトインされた情報に基づいて属性を設定してもよい。  
なお、プロセッサ１１は、通信部１５などを通じて外部装置から端末情報を取得してもよい。
【００５８】
次に、ＤＭＰ１０が実現する機能について説明する。ＤＭＰ１０が実現する機能は、プロセッサ１１がＲＯＭ１２又はＮＶＭ１４などに格納されるプログラムを実行することで実現される。
【００５９】
まず、プロセッサ１１は、視聴ログを取得する機能を有する。  
プロセッサ１１は、所定の操作を受け付けると、記憶領域１４ａから視聴ログを取得する。たとえば、プロセッサ１１は、セグメントを生成する操作を受け付けると視聴ログを取得する。なお、プロセッサ１１は、後述する判定用テーブルを生成する操作を受け付けると視聴ログを取得してもよい。
【００６０】
プロセッサ１１は、通信部１５を通じて外部装置（たとえば、視聴履歴管理サーバ）から視聴ログを取得してもよい。また、プロセッサ１１は、ＤＭＰ１０に接続されるメモリ（ＵＳＢメモリなど）から視聴ログを取得してもよい。
【００６１】
また、プロセッサ１１は、端末情報を取得する機能を有する。  
たとえば、プロセッサ１１は、視聴ログを取得すると、記憶領域１４ｂから端末情報を取得する。また、プロセッサ１１は、通信部１５を通じて外部装置から視聴ログを取得してもよい。また、プロセッサ１１は、ＤＭＰ１０に接続されるメモリ（ＵＳＢメモリなど）から視聴ログを取得してもよい。
【００６２】
また、プロセッサ１１は、視聴ログ及び端末情報に基づいて、テレビ受像機と端末とを対応付けた判定用テーブルを生成する機能を有する。
【００６３】
判定用テーブルは、同一のＩＰアドレスを有するテレビ受像機と端末とを対応付けて格納する。たとえば、判定用テーブルは、テレビ受像機と当該テレビ受像機が設置される住宅内にある端末とを対応付ける。即ち、判定用テーブルは、テレビ受像機と当該テレビ受像機を視聴するユーザが所持する端末とを対応付ける。
【００６４】
たとえば、プロセッサ１１は、視聴ログから１つの「ＴＶＩＤ」と「ＩＰアドレス」とを取得する。「ＴＶＩＤ」と「ＩＰアドレス」とを取得すると、プロセッサ１１は、視聴ログから取得した「ＩＰアドレス」と同一の「ＩＰアドレス」に対応する「端末ＩＤ」を端末情報から取得する。
【００６５】
「端末ＩＤ」を端末情報から取得すると、プロセッサ１１は、「ＴＶＩＤ」と端末情報から取得した「端末ＩＤ」とを対応付けて判定用テーブルに格納する。たとえば、プロセッサ１１は、テレビ受像機３１のＴＶＩＤと端末３２の端末ＩＤ及び端末３３の端末ＩＤとを対応付けて判定用テーブルに格納する。
【００６６】
プロセッサ１１は、各「ＴＶＩＤ」において上記の動作を繰り返して判定用テーブルを生成する。
【００６７】
図６は、判定用テーブルの構成例を示す図である。図６が示すように、判定用テーブルは、「ＴＶＩＤ」、「ＩＰアドレス」及び「端末ＩＤ」を対応付けて格納する。
【００６８】
「ＴＶＩＤ」は、前述の通りである。
【００６９】
「ＩＰアドレス」は、「ＴＶＩＤ」のテレビ受像機がネットワーク４０にアクセスする際に割り当てられてＩＰアドレスである。
【００７０】
「端末ＩＤ」は、「ＩＰアドレス」と同一のＩＰアドレスが割り振られた端末を示す。「端末ＩＤ」は、１つであってもよいし、複数であってもよい。
【００７１】
また、プロセッサ１１は、セグメントを生成するためのテレビ番組を設定する機能を有する。  
たとえば、プロセッサ１１は、操作部１６を通じてテレビ番組を示す入力を受け付ける。プロセッサ１１は、入力に基づいてテレビ番組を設定する。また、プロセッサ１１は、テレビ番組を特定するための情報の入力を受け付けてもよい。
【００７２】
また、プロセッサ１１は、設定されたテレビ番組を視聴したユーザが所持する端末のセグメントを生成する機能を有する。  
プロセッサ１１は、視聴ログから、設定されたテレビ番組を示す番組情報に対応する「ＴＶＩＤ」を取得する。プロセッサ１１は、１つ又は複数の「ＴＶＩＤ」を取得する。
【００７３】
「ＴＶＩＤ」を取得すると、プロセッサ１１は、判定用テーブルから、取得した「ＴＶＩＤ」に対応する「端末ＩＤ」を取得する。「ＴＶＩＤ」が複数ある場合、プロセッサ１１は、判定用テーブルから各「ＴＶＩＤ」に対応する「端末ＩＤ」を取得する。
【００７４】
プロセッサ１１は、取得した「端末ＩＤ」のセグメントを、設定されたテレビ番組を視聴したユーザが所持する端末のセグメントとして取得する。
【００７５】
なお、プロセッサ１１は、各テレビ受像機が当該テレビ番組を映す間に当該各テレビ受像機のＩＰアドレスと同一のＩＰアドレスを用いてネットワーク４０にアクセスした端末のセグメントを、当該テレビ番組を視聴したユーザが所持する端末のセグメントとして生成してもよい。即ち、プロセッサ１１は、各テレビ受像機が当該テレビ番組を映す間に当該各テレビ受像機が接続するアクセスポイントに接続した端末のセグメントを生成してもよい。たとえば、プロセッサ１１は、視聴ログの「タイムスタンプ」及び端末のアクセスログなどに基づいて当該セグメントを生成する。
【００７６】
プロセッサ１１は、生成したセグメントをＮＶＭ１４に格納してもよい。また、プロセッサ１１は、ＤＭＰ１０に接続されたメモリにセグメントを格納してもよい。また、プロセッサ１１は、通信部１５などを通じて外部装置（たとえば、広告サーバ２０）などにセグメントを送信してもよい。
【００７７】
また、プロセッサ１１は、セグメントの端末ＩＤが示す端末のアクセスログなどに基づいて、当該テレビ番組内の広告（たとえば、テレビＣＭ）の効果を測定してもよい。たとえば、プロセッサ１１は、当該端末のアクセスログなどから、テレビ番組内の広告に対応するコンバージョンが行われたかを判定しコンバージョン率などを算出してもよい。また、プロセッサ１１は、端末のアクセスログなどから、コンバージョンに至る階層の変化を測定してもよい。
【００７８】
次に、プロセッサ１１の動作例について説明する。図７は、プロセッサ１１の動作例を説明するためのフローチャートである。
【００７９】
まず、プロセッサ１１は、視聴ログを取得する（Ｓ１１）。視聴ログを取得すると、プロセッサ１１は、端末情報を取得する（Ｓ１２）。端末情報を取得すると、プロセッサ１１は、視聴ログ及び端末情報に基づいて判定用テーブルを生成する（Ｓ１３）。
【００８０】
判定用テーブルを生成すると、プロセッサ１１は、セグメントを生成するためのテレビ番組を設定する（Ｓ１４）。テレビ番組を設定すると、プロセッサ１１は、視聴ログから当該テレビ番組を映したテレビ受像機のＴＶＩＤを特定する（Ｓ１５）。
【００８１】
ＴＶＩＤを特定すると、プロセッサ１１は、判定用テーブルから当該ＴＶＩＤに対応する端末ＩＤを取得する（Ｓ１６）。端末ＩＤを取得すると、プロセッサ１１は、設定されたテレビ番組を視聴したユーザが所持する端末のセグメントとして、取得した端末ＩＤのセグメントを生成する（Ｓ１７）。セグメントを生成すると、プロセッサ１１は、動作を終了する。
【００８２】
なお、プロセッサ１１は、Ｓ１２の後にＳ１１を行ってもよい。  
また、プロセッサ１１は、Ｓ１１乃至Ｓ１３を予め実行しておき、セグメントを生成する操作を受け付けた場合にＳ１４以降を実行してもよい。また、プロセッサ１１は、Ｓ１１乃至Ｓ１３を所定の間隔で行ってもよいし、所定の操作を受け付けた場合に行ってもよい。
【００８３】
次に、広告サーバ２０が実現する機能について説明する。広告サーバ２０が実現する機能は、プロセッサ２１がＲＯＭ２２又はＮＶＭ２４などに格納されるプログラムを実行することで実現される。
【００８４】
プロセッサ２１は、テレビ番組を視聴したユーザが所持する端末のセグメントに基づいて、当該テレビ番組に関連する広告を配信する機能を有する。
【００８５】
プロセッサ２１は、通信部２５などを通じてＤＭＰ１０からセグメントを受信する。セグメントを受信すると、プロセッサ２１は、通信部２５を通じて、セグメントに含まれる端末ＩＤの端末に広告を配信する。
【００８６】
たとえば、プロセッサ２１は、端末からのリクエストに応じて広告を配信する。プロセッサ２１は、リクエストに含まれる端末ＩＤ（リクエストを送信した端末の端末ＩＤ）がセグメントに含まれる場合に、当該テレビ番組に関連する広告を返信する。
【００８７】
たとえば、プロセッサ２１は、当該テレビ番組に関連する広告として、当該テレビ番組に含まれる広告（たとえば、テレビＣＭ）に関連する広告を配信する。たとえば、プロセッサ２１は、当該テレビ番組に含まれる広告の商品又は当該商品に関連する商品などの広告を配信する。また、プロセッサ２１は、当該テレビ番組の宣伝、又は、テレビ番組を視聴したユーザの属性に合わせた広告を配信してもよい。
【００８８】
また、プロセッサ２１は、当該テレビ番組に関連する広告として、当該テレビ番組の内容に関連する広告を配信する。たとえば、当該テレビ番組がドラマなどのシリーズ化されたテレビ番組である場合、プロセッサ２１は、次回の放送日時、前回までのあらすじ、テレビ番組のグッズ（ＤＶＤなど）又は関連するテレビ番組などを示す広告を配信する。
【００８９】
また、プロセッサ２１は、セグメントを分割したサブセグメントの端末に広告を配信してもよい。たとえば、プロセッサ２１は、属性（たとえば、性別など）に応じてセグメントを複数のサブセグメントに分割する。プロセッサ２１は、サブセグメントに含まれる端末ＩＤの端末に広告を配信してもよい。
【００９０】
なお、ＤＭＰ１０のプロセッサ１１は、広告サーバ２０が配信した広告の効果を測定してもよい。
【００９１】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００９２】
１…広告システム、１０…ＤＭＰ、１１…プロセッサ、１２…ＲＯＭ、１３…ＲＡＭ、１４…ＮＶＭ、１４ａ…記憶領域、１４ｂ…記憶領域、１５…通信部、１６…操作部、１７…表示部、２０…広告サーバ、２１…プロセッサ、２２…ＲＯＭ、２３…ＲＡＭ、２４…ＮＶＭ、２５…通信部、２６…操作部、２７…表示部、３０…アクセスポイント、３１…テレビ受像機、３２…端末、３３…端末、４０…ネットワーク。
【図１】
2020195090.tif 000003
【図２】
2020195090.tif 000004
【図３】
2020195090.tif 000005
【図４】
2020195090.tif 000006
【図５】
2020195090.tif 000007
【図６】
2020195090.tif 000008
【図７】
2020195090.tif 000009